(57)【要約】【課題】フィルム面での透過率を変化させ、明暗に変化を付けることが可能な調光フィルム及び調光フィルムの駆動方法を提供することを目的とする。【解決手段】互いに対向配置された第１電極２２Ａと第２電極２２Ｂと、前記第１電極２２Ａと前記第２電極２２Ｂとの間に配置され、前記第１電極２２Ａと前記第２電極２２Ｂとの間の電位差によって透過率を変化させる調光材料と、前記第１電極２２Ａと前記第２電極２２Ｂとが延びる方向において、前記電位差に勾配を設ける電位差勾配形成部と、を備える調光フィルムを提供する。電位差に勾配を設けることにより、調光フィルムの面内で透過率に差を設け、明暗に変化を付けることができる。【選択図】図４
2018060128.tif 000002
【特許請求の範囲】
【請求項１】
互いに対向配置された第１電極と第２電極と、
前記第１電極と前記第２電極との間に配置され、前記第１電極と前記第２電極との間の電位差によって透過率を変化させる調光材料と、
前記第１電極と前記第２電極とが延びる方向において、前記電位差に勾配を設ける電位差勾配形成部と、
を備える調光フィルム。
【請求項２】
前記第１電極が、複数の領域に分割されており、
前記電位差勾配形成部は、分割領域のそれぞれに異なる電位を供給可能な電源である、
請求項１に記載の調光フィルム。
【請求項３】
前記電位差勾配形成部は、前記第１電極上の異なる２点に電位差を設ける電源である、
請求項１に記載の調光フィルム。
【請求項４】
前記電位差勾配形成部は、前記第１電極に周波数可変な交流電圧を供給する電源である、
請求項１に記載の調光フィルム。
【請求項５】
互いに対向配置された第１電極と第２電極と、
前記第１電極と前記第２電極との間に配置され、前記第１電極と前記第２電極との間の電位差によって透過率を変化させる調光材料と、を備える調光フィルムの駆動方法であって、
前記第１電極と前記第２電極とが延びる方向において前記電位差に勾配を設ける、
調光フィルムの駆動方法。
【発明の詳細な説明】
【技術分野】
【０００１】
本発明は、例えば窓に貼り付けて外来光の透過を制御する電子ブラインドに利用可能な調光フィルム及び調光フィルムの駆動方法に関する。
【背景技術】
【０００２】
従来、例えば窓に貼り付けて外来光の透過を制御する電子ブラインド等に利用可能な調光フィルムが提案されている（特許文献１、２）。このような調光フィルムの１つに、液晶を利用したものがある。液晶を利用した調光フィルムは、透明電極を含む透明板材により液晶材料を挟持して液晶セルが製造され、例えば、この液晶セルを直線偏光板により挟持して作成される。この調光フィルムは、透明電極間に印加する電界を変化させることにより液晶の配向を変化させ、外来光の透過量を制御する。
【０００３】
このような調光フィルムにおいて透明電極間に電位差を加えると、その電位差に応じて透過率が変化するが、調光フィルム面での透過率は略一定となっている。
【先行技術文献】
【特許文献】
【０００４】
【特許文献１】特開平０３−４７３９２号公報
【特許文献２】特開平０８−１８４２７３号公報
【発明の概要】
【発明が解決しようとする課題】
【０００５】
しかし、近年、調光フィルムの用途が多様化し、フィルム面での透過率を変化させ、面内において明暗に変化を付けることが可能な調光フィルム及び調光フィルムの駆動方法に対する要望がある。
本発明はこのような状況に鑑みてなされたものであり、フィルム面での透過率を変化させ、明暗に変化を付けることが可能な調光フィルム及び調光フィルムの駆動方法を提供することを目的とする。
【課題を解決するための手段】
【０００６】
本発明者は、上記課題を解決するために鋭意研究を重ね、本発明を完成するに至った。
具体的には、本発明では、以下のようなものを提供する。
【０００７】
（１）互いに対向配置された第１電極と第２電極と、前記第１電極と前記第２電極との間に配置され、前記第１電極と前記第２電極との間の電位差によって透過率を変化させる調光材料と、前記第１電極と前記第２電極とが延びる方向において、前記電位差に勾配を設ける電位差勾配形成部と、を備える調光フィルム。
【０００８】
（２）  （１）において、前記第１電極は、複数の領域に分割されており、前記電位差勾配形成部は、分割領域のそれぞれに異なる電位を供給可能な電源である調光フィルム。
【０００９】
（３）  （１）において、前記電位差勾配形成部は、前記第１電極上の異なる２点に電位差を設ける電源である、調光フィルム。
【００１０】
（４）  （１）において、前記電位差勾配形成部は、前記第１電極に周波数可変な交流電圧を供給する電源である、調光フィルム。
【００１１】
（５）互いに対向配置された第１電極と第２電極と、前記第１電極と前記第２電極との間に配置され、前記第１電極と前記第２電極との間の電位差によって透過率を変化させる調光材料と、を備える調光フィルムの駆動方法であって、前記第１電極と前記第２電極とが延びる方向において前記電位差に勾配を設ける、調光フィルムの駆動方法。
【発明の効果】
【００１２】
フィルム面での透過率を変化させ、明暗に変化を付けることが可能な調光フィルム及び調光フィルムの駆動方法を提供することができる。
【図面の簡単な説明】
【００１３】
【図１】実施形態の調光フィルムを示す断面図である。
【図２】調光フィルムの製造工程を示すフローチャートである。
【図３】第１実施形態における第１電極と第２電極とを説明する図である。
【図４】図３の領域Ｓの拡大図である。
【図５】第１電極と第２電極とを含む領域の一部断面図である。
【図６】第１電極と第２電極との間の電位差と透過率Ｔとの関係を示した図である。
【図７】比較形態として、第２電極も分離されている場合の調光フィルムの断面図である。
【図８】第２実施形態における第１電極と第２電極とを説明する図である。
【図９】第３実施形態における第１電極と第２電極とを説明する図である。
【図１０】第１電極の大きさが異なる場合における、印加される交流電圧の周波数と透過率との関係を示したグラフである。
【図１１】第１電極に印加される交流電圧の周波数が異なる場合に、給電ポイントから離れた例えば図９の点Ｃの位置での電位の変動を示したグラフであり、（ａ）は周波数が低い場合、（ｂ）は周波数が高い場合である。
【図１２】２８０ｍｍ角の調光フィルムに異なる周波数の交流電圧を印加した場合の透過の状態を示した写真であり、（ａ）は交流電圧の周波数が６０Ｈｚ、（ｂ）は１２０Ｈｚ、（ｃ）は２４０Ｈｚ、（ｄ）は４８０Ｈｚ、（ｃ）は９６０Ｈｚである。
【発明を実施するための形態】
【００１４】
［調光フィルム］
図１は、実施形態の調光フィルム１０を示す断面図である。調光フィルム１０は、例えば、調光を図る部位に貼り付けたり、合わせガラスに適用されたりして使用される。調光を図る部位に貼り付けて使用される場合とは、例えば車両のリアウインド、建築物の窓ガラス、ショーケース、屋内の透明パーテーション等に配置して透過、不透明を切り替える場合等である。
【００１５】
調光フィルム１０は、液晶を利用して透過光を制御する調光フィルムであり、フィルム状の第２積層体１３及び第１積層体１２により液晶層１４を挟持した液晶セル１５により構成されている。
本実施形態において、液晶層１４の駆動には、ＶＡ（Ｖｉｒｔｉｃａｌ  Ａｌｉｇｎｍｅｎｔ）方式が採用される。ＶＡ方式は、液晶の配向を垂直配向と水平配向とで変化させて透過光を制御する方式であり、無電界時、液晶を垂直配向させることにより、液晶層１４を垂直配向層により挟持して液晶セル１５が構成され、電界の印加により液晶材料を水平配向させるように構成される。
【００１６】
ただし、これに限定されない。例えば、ＶＡ方式以外の液晶調光フィルムとして、ＴＮ方式（ｔｗｉｓｔｅｄ  Ｎｅｍａｔｉｃ  ｌｉｑｕｉｄ  ｃｒｙｓｔａｌ）を用いてもよい。ＴＮ方式は、調光フィルムは、電圧が印加されていないときは液晶分子が水平に並び、光を通過させて画面が「白」になる。徐々に電圧を印加していくと、液晶分子が垂直に立ち上がっていき、光をさえぎって画面が黒くなる方式である。
また、ＩＰＳ（Ｉｎ−Ｐｌａｃｅ−Ｓｗｉｔｃｈｉｎｇ）方式を用いてもよい。ＩＰＳ方式は、液晶層を挟持する１対の基材のうちの一方の基材に駆動用の電極をまとめて作製して、この電極により基材表面の面内方向の電界であるいわゆる横電界を形成して液晶の配向を制御する駆動方式である。
【００１７】
調光フィルム１０には、液晶層１４の厚みを一定に保持するためのスペーサー２４が第１積層体１２及び又は第２積層体１３に設けられる。
第１積層体１２及び第２積層体１３は、それぞれ基材２１Ａ、２１Ｂに第１電極２２Ａ、第２電極２２Ｂ、配向層２３Ａ、２３Ｂを順次作成して形成される。
また、ＩＰＳ方式による場合、第１電極２２Ａ、第２電極２２Ｂは、配向層２３Ａ又は２３Ｂ側に纏めて製造されることは言うまでも無く、これに対応するように第１積層体１２及び第２積層体１３が構成されることになる。
【００１８】
調光フィルム１０は、第１電極２２Ａ、第２電極２２Ｂとの間の電位差を変化させることにより外来光の透過を制御し、透明状態と非透明状態とで状態を切り替えるように構成される。本実施形態では、いわゆるノーマリーホワイトにより液晶層１４を駆動する。
なお、ノーマリーホワイトとは、液晶に電圧がかかっていない時に透過率が最大となり、透明となる構造である。
【００１９】
調光フィルム１０を、例えば、建築物の窓ガラス、ショーケース、屋内の透明パーテーション等に貼り付けて使用する場合、液晶セル１５の両側の面に、ハードコート層等による保護層が設けられてもよい。
【００２０】
［基材］
基材２１Ａ、２１Ｂは、液晶セル１５に適用可能な可撓性を有するＴＡＣ、ポリカ、ＣＯＰ、アクリル、ＰＥＴなど各種の透明フィルム材を適用することができ、この実施形態では、両面にハードコート層が製造されてなるポリカーボネートによるフィルム材が適用される。
【００２１】
［電極］
第１電極２２Ａ、第２電極２２Ｂは、液晶層１４に電界を印加可能であって、透明と知覚される種々の構成を適用することができるが、本実施形態では、透明電極材であるＩＴＯ（Ｉｎｄｉｕｍ  Ｔｉｎ  Ｏｘｉｄｅ）による透明導電膜を基材２１Ａ、２１Ｂの全面に製造して形成される。上述したように、ＩＰＳ方式等においては、電極は所望の形状によりパターンニングされて製造される。
【００２２】
［配向層］
配向層２３Ａ、２３Ｂは、光配向層により形成される。光配向層に適用可能な光配向材料は、光配向の手法を適用可能な各種の材料を広く適用することができるが、本実施形態では、例えば光二量化型の材料を使用する。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００２３】
光配向層に代えて、ラビング処理により製造してもよい。この場合、配向層２３Ａ、２３Ｂは、ポリイミド等の配向層に適用可能な各種材料層を製造した後、この材料層の表面にラビングロールを使用したラビング処理により微細なライン状凹凸形状を製造して形成される。
このようなラビング処理による配向層、光配向層に代えて、ラビング処理により製造した微細なライン状凹凸形状を賦型処理により製造して配向層を製造してもよい。
【００２４】
［スペーサー］
スペーサー２４は、液晶層１４の厚みを規定するために設けられ、各種の樹脂材料を広く適用することができるが、本実施形態ではフォトレジストにより製造される。スペーサー２４は、第２電極２２Ｂを製造してなる基材２１Ｂの上に、フォトレジストを塗工して露光、現像することにより製造される。なおスペーサー２４は、第１積層体１２に設けるようにしてもよく、第１積層体１２及び第２積層体１３の双方に設けるようにしてもよい。またスペーサー２４は、配向層２３Ｂの上に設けるようにしてもよい。またスペーサーは、いわゆるビーズスペーサーを適用してもよい。
【００２５】
［液晶層］
液晶層１４は、この種の調光フィルムに適用可能な各種の液晶材料を広く適用することができる。具体的に、液晶層１４には、例えば、特開２００３−３６６４８４号に記載の液晶化合物を用いることができる。また、上市品としては、例えばメルク社製ＭＬＣ２１６６等の液晶材料を適用することができる。
なお、本実施形態では、液晶層１４には、液晶材料と調光に供する色素とが混入されたゲストホスト方式が採用されている。ゲストホスト型液晶とは二色性色素が混合された液晶である。液晶分子の移動に伴い、二色性色素を移動させることで、光の透遮光を制御することができる。ゲストホスト方式に用いられる液晶材料と色素としては、ゲストホスト方式について提案されている液晶材料と色素との混合物を広く適用することができる。
液晶セル１５は、液晶層１４を囲むように、シール材２５が配置され、このシール材２５により液晶の漏出が防止される。ここでシール材２５は、例えばエポキシ樹脂、紫外線硬化性樹脂等を適用することができる。
【００２６】
［製造工程］
図２は、調光フィルム１０の製造工程を示すフローチャートである。第２積層体製造工程ＳＰ２において、液晶セル１５の第２積層体１３が製造される。第２積層体製造工程ＳＰ２においては、電極製造工程ＳＰ２−１で、基材２１Ｂにスパッタリング等によりＩＴＯによる第２電極２２Ｂが製造される。続くスペーサー製造工程ＳＰ２−２にで、スペーサー２４に係る塗工液（フォトレジスト）を塗工した後、乾燥、露光して現像することにより、スペーサー２４が製造される。また続いて配向層製造工程ＳＰ２−３で、配向層２３Ｂに係る塗工液を塗工して乾燥した後、紫外線の照射により液晶分子配向方向を設定し、これにより配向層２３Ｂが製造される。これらによりこの実施形態では、第２積層体１３が製造される。
【００２７】
調光フィルム１０の製造工程は、続く第１積層体製造工程ＳＰ３において、第２積層体製造工程ＳＰ２と同様にして、第１積層体１２が製造される。すなわち第１積層体製造工程ＳＰ３では、基材２１Ａにスパッタリング等によりＩＴＯによる第１電極２２Ａが製造され、配向層２３Ａに係る塗工液を塗工、乾燥した後、紫外線の照射により液晶分子配向方向を設定することにより配向層２３Ａが製造され、これらにより第１積層体１２が製造される。
【００２８】
この製造工程は、続く液晶セル製造工程ＳＰ４において、ディスペンサを使用して枠形状によりシール材２５を塗工した後、この枠形状の部位に液晶材料を配置して第１積層体１２、第２積層体１３を積層押圧してシール材２５を紫外線の照射等により硬化させ、これにより液晶セル１５を製造する。なお液晶材料の配置にあっては、第１積層体１２、第２積層体１３を先に積層するようにして、第１積層体１２、第２積層体１３を積層して形成される空隙に配置するようにしてもよい。
【００２９】
なお液晶セル１５は、基材２１Ａ、２１Ｂがロールに巻き取られた長尺フィルム形態により提供され、これら工程ＳＰ２〜ＳＰ４の全て、又はこれら工程ＳＰ２〜ＳＰ４のうちの一部が、ロールから基材２１Ａ、２１Ｂを引き出して搬送しながら実行される。なおこれにより液晶セル１５は、必要に応じて、途中の工程から一枚ずつの処理により各工程が実行されることになる。
【００３０】
（第１実施形態）
図３は、第１実施形態における第１電極２２Ａと第２電極２２Ｂとを説明する図である。図４は図３の領域Ｓの拡大図である。図５は第１電極２２Ａと第２電極２２Ｂとを含む領域の一部断面図である。第１電極２２Ａ及び第２電極２２Ｂは、これに限定されるわけではないが、本実施形態では長方形である。
【００３１】
（第１電極）
第１電極２２Ａは、図３に示すように、第１電極２２Ａの一辺に沿ったｙ方向に延びる複数のストライプ状電極２２ａに分離されている。本実施形態においては、ストライプ状電極２２ａの幅（図中ｘ方向の幅）は全て同じで、互いの間に１０μｍ程度の隙間を空けて、２ｍｍピッチで図中ｘ方向に延びるように配列されている。
ストライプ状電極２２ａは、図４に示すように、それぞれ、電位差形成部である電源２６に接続されている。それぞれが接続されている電源２６の出力を調整することによって、ストライプ状電極２２ａのそれぞれに異なる電位を付与することができる。
なお、本実施形態で電源２６は交流電源であるが、これに限定されず、直流電源であってもよい。
【００３２】
（第２電極）
一方、第２電極２２Ｂは分割されておらず、接地され、全領域が同電位（０Ｖ）である。
【００３３】
図６は、第１電極２２Ａと第２電極２２Ｂとの間の電位差Ｖ（Ａ−Ｂ）（すなわち第１電極の電位ＶＡ）と透過率Ｔとの関係を示した図である。本実施形態はノーマリーホワイトである。ノーマリーホワイトとは、液晶に電圧を印加していない時に透過率が最大となる構造である。ノーマリーホワイトであるので、電位差Ｖ（Ａ−Ｂ）が小さくなると透過率Ｔが大きくなり、電位差Ｖ（Ａ−Ｂ）が大きくなると透過率Ｔが小さくなる。
【００３４】
本実施形態においては、ストライプ状電極２２ａに付与する電位を、第１電極２２Ａのｘ方向の一方から他方に向かって（ｘのマイナス方向からプラス方向に向かって）連続的に増加させる。すなわち、ストライプ状電極２２ａに付与する電位を、第１電極２２Ａのｘ方向の一方から他方に向かって漸増させる。そうすると、第１電極の電位ＶＡの増加（漸増）に伴って、透過率Ｔは減少（漸減）する。
【００３５】
下の表１は、本実施形態において、ｘマイナス側の端部からｎ番目のストライプ状電極２２ａから、隣接する１０本のストライプ状電極の透過率Ｔ及び電位ＶＡの一例を示した表である。
【表１】
2018060128.tif 000003
本実施形態では、表に示すように、ｎからｎ＋９番目までの互いに隣接する領域での透過率Ｔの差が０．６％〜０．８％（０．７％±０．１％）程度となるように、第１電極２２Ａに電位が付与されている。
【００３６】
このように、隣接するストライプ状電極２２ａの透過率Ｔの差を０．６％〜０．８％（０．７％±０．１％）程度にすると、目視において、ストライプ状電極２２ａ間の境界線が感じられず、滑らかに透過率が変化するように見える。
【００３７】
なお、比較として、例えば以下の表２に示すように、透過率の差が４％程度の場合、境界線が目視で確認され、透過率Ｔが段階的に変化していることが認識されてしまう。
【表２】
2018060128.tif 000004
【００３８】
以上、本実施形態によると、電源２６の出力を変化させてストライプ状電極２２ａに付与する電位を調整し、第１電極２２Ａと第２電極２２Ｂとの間の電位差Ｖ（Ａ−Ｂ）に対して、第１電極２２Ａと第２電極２２Ｂとが延びるｘ方向の一方から他方に向かって連続的に増加又は減少するように勾配を設ける。これにより、調光フィルム１０の透過率Ｔを、第１電極２２Ａ上において連続して変化させることができる。
また、隣接するストライプ状電極２２ａ間の透過率Ｔの差が目視で確認できない０．６％〜０．８％（０．７％±０．１％）程度となる範囲で、電源２６の出力を調整することにより、第１電極２２Ａの電位ＶＡ（第１電極２２Ａと第２電極２２Ｂとの間の電位差Ｖ（Ａ−Ｂ））の変化の割合（傾き）を変化させて、調光フィルム１０の濃淡のコントラストを上げたり、下げたりすることができる。
【００３９】
本実施形態では、上述のようにストライプ状電極２２ａ間の距離は１０μｍである。これ以上隙間が空くと、隙間に存在する液晶は駆動されないので、透過率の境界が見えてしまう。したがって、できるだけ小さいほうが好ましい。しかし、１０μｍより小さいと製造が困難になる。本実施形態では、１０μｍ程度であるので、製造容易で且つ境界も見えにくい。
【００４０】
本実施形態では、上述のように第２電極２２Ｂは分離されていない。図７は比較形態として、第２電極２２Ｂ’も分離されている場合の調光フィルム１０’の断面図である。
図示するように第２電極２２Ｂ’が複数のストライプ状電極２２ｂ’に分離されていると、製造時に、第１電極２２Ａ’と第２電極２２Ｂ’との位置合わせ（ストライプ状電極２２ａ’とストライプ状電極２２ｂ’との位置合わせ）が必要となり、製造に手間がかかる。しかし、本実施形態では、第２電極２２Ｂは分離されていないので、１電極２２Ａと第２電極２２Ｂとの位置合わせが容易となり、製造が容易になる。
【００４１】
さらに、図７のように第２電極２２Ｂ’が複数のストライプ状電極２２ｂ’に分離されていると、ストライプ状電極２２ａ’間の隙間と、ストライプ状電極２２ｂ’間の隙間とによって挟まれる空間に、電位差が生じない無電界領域Ｑが生じる。
その無電界領域Ｑに存在する液晶は駆動されず、ノーマリーホワイトの場合、透過率が高い部分がライン状に発生する。
しかし、本実施形態のように第２電極２２Ｂが分離されていないと、第１電極２２Ａにおける分離領域の両側の電気力線は、図５に示すように若干斜めに傾き、無電界領域の面積が縮小され又は発生せず、液晶が駆動されない領域も縮小され又は発生しない。
したがって、ノーマリーホワイトの場合、透過率が高いライン部は発生せず、透過率は滑らかに変化し、調光フィルム１０の濃淡も滑らかに変化する。
【００４２】
（第２実施形態）
図８は第２実施形態における調光フィルム２１０の、第１電極２２２Ａと第２電極２２２Ｂとを説明する図である。なお、第２実施形態の調光フィルム２１０においては、第１実施形態と同様にゲストホスト型方式を採用しても良く、また、液晶セルを直線偏光板により挟持する方式であってもよい。
第２実施形態において第１電極２２２Ａは、第１実施形態と異なりストライプ状に分離されていない。第１電極２２２Ａの一点Ａと、その点Ａから離れた点Ｂとの間に電位差を設ける電源２２６が設けられている。第２電極２２２Ｂは第１実施形態と同様に接地されている。
なお、本実施形態では給電を点Ａ及び点Ｂに対して行うが、これに限定されず、給電部を、例えばライン状に設けてもよい。ライン状に設ける場合、第１電極２２２Ａの端辺と平行に延びるように設けるのが好ましい。
【００４３】
電源２２６の出力を変化させて点Ａと点Ｂとの間に付与する電位差を調整し、第１電極２２２Ａと第２電極２２２Ｂとの間の電位差Ｖ（Ａ−Ｂ）に対して、第１電極２２２Ａと第２電極２２２Ｂとが延びるｘ方向の一方から他方に向かって連続的に増加又は減少するように勾配を設ける。これにより、調光フィルム２１０の透過率Ｔを、第１電極２２２Ａ上において連続して変化させることができる。
【００４４】
（第３実施形態）
図９は第３実施形態における第１電極３２２Ａと第２電極３２２Ｂとを説明する図である。第３実施形態の調光フィルム３１０は、液晶セルが直線偏光板により挟持され、液晶層の駆動には、ＶＡ方式が採用される。
第３実施形態も、第１電極３２２Ａは第１実施形態と異なりストライプ状に分離されていない。第３実施形態の第１電極３２２Ａは、点Ａにおいて電源３２６に接続されている。電源３２６は、交流電圧を第１電極３２２Ａに印加する。第１電極３２２Ａの電位は、印加された交流電圧に基づいて変動する。
図１０は、調光フィルム３１０の大きさ（第１電極３２２Ａ及び第２電極３２２Ｂの大きさ）が異なる場合における、第１電極３２２Ａに印加される交流電圧の周波数ｆと透過率Ｔとの関係を示したグラフである。電圧は±１０Ｖの交流電圧である。
調光フィルム３１０が５０ｍｍ角のときは、交流電圧の周波数ｆが４〜４８０Ｈｚと変動しても、透過率Ｔに変化は見られず、３４％程度である。
調光フィルム３１０が２８０ｍｍ角の場合も、交流電圧の周波数ｆが４〜１２０Ｈｚ程度までは透過率Ｔに変化は見られず、３３％程度である。
しかし、周波数が１２０Ｈｚを超えると、給電点Ａからの距離が遠くなると、透過率Ｔが減少する。例えば周波数ｆが４８０Ｈｚの場合、給電点Ａからの距離が２５ｍｍの位置で透過率Ｔは３０．５％程度である。給電点Ａからの距離が５０ｍｍの位置で透過率Ｔは２４％程度である。給電点Ａからの距離が１５０ｍｍの位置で透過率Ｔは２１．５％程度である。給電点Ａからの距離が２５０ｍｍの位置で透過率Ｔは１９％程度である。
なお、本実施形態は、ノーマリーブラックである。ノーマリーブラックとは、液晶に電圧を印加していない時に透過率Ｔが最小となり、黒い画面になる構造である。
【００４５】
図１１は周波数ｆが異なる場合に、給電点Ａから離れた、例えば図９の点Ｃでの電位の変動を示したグラフである。（ａ）は周波数ｆが低い場合、（ｂ）は周波数ｆが高い場合である。
給電点Ａに交流電圧が印加されると、給電点Ａから離れた位置において、電位の変動の時定数は給電点Ａよりも大きくなる。したがって、例えば±１０Ｖの電位を加える場合であっても、給電点Ａから離れた点Ｃの位置では、電位が±１０Ｖである時間が減少する。したがって実効電圧が減少する。
周波数ｆが高くなると実効電圧の減少は顕著になり、調光フィルム１０の面積が大きい場合、給電点Ａから遠い位置での実効電圧の減少が著しい。したがって、実際には電位が低い状態と同様となる。
本実施形態ではこの現象を利用して、印加する交流電圧の周波数ｆを調整することにより、給電点Ａから離れた位置Ｃでの透過率を調整する。すなわち、調光フィルム３１０の面内で透過率のグラデーションを付けたい場合は、周波数を高くし、透過率一定としたい場合、周波数を低く（例えば１２０Ｈｚ以下）する。また、濃淡の差が大きいグラデーションを付けたい場合は、周波数をより高くする。
【００４６】
図１２は、２８０ｍｍ角の調光フィルムに異なる周波数の交流電圧を印加した場合の透過の状態を示した写真である。（ａ）は交流電圧の周波数が６０Ｈｚ、（ｂ）は１２０Ｈｚ、（ｃ）は２４０Ｈｚ、（ｄ）は４８０Ｈｚ、（ｃ）は９６０Ｈｚである。
写真で示すように、印加する交流電圧の周波数が高くなると、給電点Ａから離れた位置での透過率が上昇しないことがわかる。
以上、本実施形態においても第１実施形態と同様に透過率Ｔが連続的に変化するので、電源から供給される電位の周波数を調整することにより、透過率の濃淡のコントラストを上げたり、下げたりすることができる。
【００４７】
（変形形態）
（１）以上、本発明の実施形態として、ＶＡ方式の液晶調光フィルムについて説明したが、本発明はこれに限定されず、電位により調光量を調整できる他の方式であってもよい。液晶における他の方式は、上述したが、液晶以外を用いたものとして、例えば、ＥＣ方式、ＳＰＤ方式、ＰＤＬＣ方式調光フィルム等、電極間の電位差に応じて明暗（透過率）が変化するデバイスであってもよい。
ＥＣ方式（Ｅｌｅｃｔｒｏ  ｃｈｒｏｍｉｃ）を用いた調光フィルムは、一対の電極で調光層（電解質層）を挟んだ構造を有する。電極間の電位差に応じ、酸化還元反応を利用して調光層の色が透明と濃紺との間で変化する。
ＳＰＤ方式（Ｓｕｓｐｅｎｄｅｄ  Ｐａｒｔｉｃｌｅ  Ｄｅｖｉｃｅ）を用いた調光フィルムは、微粒子の配向を利用し、通常濃紺色に着色しているが、電圧を印加すると透明に変化し、電位を切ると元の濃紺色に戻るものであり、電圧によって濃淡を調整できる。
ＰＤＬＣ方式（Ｐａｒｔｉｃｌｅ  Ｄｉｓｐｅｒｓｅｄ  Ｌｉｑｕｉｄ  Ｃｒｙｓｔａｌ）を用いた調光フィルムは、液晶層中に特殊なポリマーによるネットワーク構造体を形成させたもので、ポリマーネットワークの作用により、液晶分子の配列が不規則な状態を誘起して光を散乱させる。そして、電圧を印加することで、液晶分子を電界方向に配列させると、光が散乱されず、透明な状態となる。
【００４８】
以上、本発明の実施に好適な具体的な構成を詳述したが、本発明は、本発明の趣旨を逸脱しない範囲で、上述の実施形態を種々に変更することができる。
【符号の説明】
【００４９】
１０，２１０，３１０    調光フィルム
１２    第１積層体
１３    第２積層体
１４    液晶層
１５    液晶セル
２１Ａ，２１Ｂ    基材
２２Ａ，２２２Ａ，３２２Ａ    第１電極
２２Ｂ，２２２Ｂ，３２２Ｂ    第２電極
２２ａ    ストライプ状電極
２２ｂ    ストライプ状電極
２３Ａ    配向層
２３Ｂ    配向層
２４    スペーサー
２５    シール材
２６，２２６，３２６    電源
【図１】
2018060128.tif 000005
【図２】
2018060128.tif 000006
【図３】
2018060128.tif 000007
【図４】
2018060128.tif 000008
【図５】
2018060128.tif 000009
【図６】
2018060128.tif 000010
【図７】
2018060128.tif 000011
【図８】
2018060128.tif 000012
【図９】
2018060128.tif 000013
【図１０】
2018060128.tif 000014
【図１１】
2018060128.tif 000015
【図１２】
2018060128.tif 000016